(57)【要約】【課題】  押出兼圧造ピンのダイへの適性な挿入位置の調整が金型装置の稼働を止めることなく簡単迅速に行える金型装置を得ること。【解決手段】  パンチ１１の打ち込みにより成形素材をダイ６の成形孔６ａ内に圧入して所定形状の成形品Ｗに圧造成形する金型装置１において、ダイケース５内の後端部内面に進退可能に螺合され、かつ受圧体８の後端面を受け止める受圧面１２ａを有する受圧位置調整体１２を設けると共に、受圧位置調整体１２を回転させてダイケース５に対し進退動させることにより受圧体８を介し押出兼成形ピン７の先端のダイ６の成形孔６ａ内における挿入位置を微調整する回転操作手段１３を設け、かつ回転操作手段１３の操作部１４を機外に設けた。【選択図】図１
0003128302.tif 000002
【実用新案登録請求の範囲】
【請求項１】
嵌合穴をもつ機体と、機体の嵌合穴に挿嵌保持されるダイケースと、ダイケース内の前部に固定されるダイと、ダイの成形孔に対して進退動可能でダイの底部を成形する押出兼成形ピンと、押出兼成形ピンの後端に当接しかつダイケース内に摺動可能に支持される受圧体と、受圧体の後部に設けられ、成形品を受圧体と押出兼成形ピンを介してダイの外へ押し出すノックアウトピンをもつノックアウト機構とを備え、パンチの打ち込みにより成形素材をダイの成形孔内に圧入して所定形状の成形品に圧造成形する金型装置において、ダイケース内の後端部内面に進退可能に螺合され、かつ受圧体の後端面を受け止める受圧面を有する受圧位置調整体を設けると共に、受圧位置調整体を回転させてダイケースに対し進退動させることにより受圧体を介し押出兼成形ピンの先端のダイの成形孔内における挿入位置を微調整する回転操作手段を設け、かつ回転操作手段の操作部を機外に設けたことを特徴とする金型装置。
【請求項２】
回転操作手段の操作部を介して回転操作手段を手動又は電動にて操作する一方、微調整が完了したとき、受圧位置調整体の動きをロックするロック手段を設けたことを特徴とする請求項１に記載の金型装置。
【考案の詳細な説明】
【技術分野】
【０００１】    本考案はパンチの打ち込みにより成形素材をダイの成形孔内に圧入して所定形状の成形品に圧造成形する金型装置に関する。
【背景技術】
【０００２】  従来、この種の金型装置は、ダイブロックと、ダイブロックの嵌合穴に挿嵌保持されるダイケースと、ダイケース内の前部に固定されるダイと、ダイの成形孔に対して進退動可能でダイの底部を成形する押出兼成形ピンと、押出兼成形ピンの後端に当接しかつダイケース内に摺動可能に支持される受圧体と、受圧体の後部に設けられ、成形品を受圧体と押出ピンを介してダイの外へ押し出すノックアウトピンをもつノックアウト機構とを備えている。【０００３】  そして、パンチの打ち込みにより成形素材をダイの成形孔内に圧入して所定形状の成形品（成形品とは最終成形品の他、据え込み加工されただけの中間成形品も含む）に圧造成形するようになされている。
【考案の開示】
【考案が解決しようとする課題】
【０００４】  ところが、金型装置を稼働させ、成形素材の圧造に入ると初期圧縮歪みにより、ノックアウトピンが短縮する。また、圧造熱によって押出兼圧造ピンやパンチなどの工具が膨張して例えば図４に示すように押出兼圧造ピンＰの先端のダイＤへの挿入位置が定位置Ａから位置Ａ′に位置ずれしてバリＢ，Ｂの発生した不良成形品Ｗ′を圧造するといった問題があった。【０００５】  そのため、圧造中に圧造された成形品をチェックし、バリの発生した不良品Ｗ′を検出したときには、金型装置の稼働を一旦止めて受圧体の端面を何回も旋削仕上げして、再セット、圧造具合のチェックを何回も繰り返し行って、押出兼圧造ピンＰのダイＤへの適性な挿入位置の調整を行っているのであるが、その調整作業が非常に面倒で手間を要するし、また、適性な挿入位置を求めても圧造加工中に又変化してしまう問題を有していた。【０００６】  特に高精度パーツの圧造成形を行うときは、工具の劣化と稼働中に変化してゆく工具及び成形品の温度上昇に伴う押出兼圧造ピン先端のダイへの挿入位置Ａの変化に対して頻繁に微調整する必要があった。【０００７】  そこで、本考案は押出兼圧造ピンのダイへの適性な挿入位置の調整が金型装置の稼働を止めることなく簡単迅速に行える金型装置の提供を課題とする。
【課題を解決するための手段】
【０００８】  上記した課題を解決するために、本願の請求項１に記載の考案は、嵌合穴をもつ機体と、機体の嵌合穴に挿嵌保持されるダイケースと、ダイケース内の前部に固定されるダイと、ダイの成形孔に対して進退動可能でダイの底部を成形する押出兼成形ピンと、押出兼成形ピンの後端に当接しかつダイケース内に摺動可能に支持される受圧体と、受圧体の後部に設けられ、成形品を受圧体と押出兼成形ピンを介してダイの外へ押し出すノックアウトピンをもつノックアウト機構とを備え、パンチの打ち込みにより成形素材をダイの成形孔内に圧入して所定形状の成形品に圧造成形する金型装置において、ダイケース内の後端部内面に進退可能に螺合され、かつ受圧体の後端面を受け止める受圧面を有する受圧位置調整体を設けると共に、受圧位置調整体を回転させてダイケースに対し進退動させることにより受圧体を介し押出兼成形ピンの先端のダイの成形孔内における挿入位置を微調整する回転操作手段を設け、かつ回転操作手段の操作部を機外に設けたことを特徴とする。【０００９】  また、本願の請求項２に記載の考案は、回転操作手段の操作部を介して回転操作手段を手動又は電動にて操作する一方、微調整が完了したとき、受圧位置調整体の動きをロックするロック手段を設けたことを特徴とする。
【考案の効果】
【００１０】  本考案によれば、ダイケース内の後端部内面に進退可能に螺合され、かつ受圧体の後端面を受け止める受圧面を有する受圧位置調整体を設けると共に、受圧位置調整体を回転させてダイケースに対し進退動させることにより受圧体を介し押出兼成形ピンの先端のダイの成形孔内における挿入位置を微調整する回転操作手段を設け、かつ回転操作手段の操作部を機外に設けたから、圧造中に圧造されたブランクをチェックし、バリの発生した不良品を検出したときには、金型装置の稼働を止めることなく、つまり空打ち状態のもとで、回転操作手段の操作部を操作することにより、回転操作手段を介して受圧位置調整体を回転させ、該調整体をダイケースに対し進退動させることにより、受圧体を介して押出兼成形ピンの先端のダイの成形孔内における挿入位置を微調整することができる。従って、押出兼圧造ピンのダイへの適性な挿入位置の微調整が金型装置の稼働を止めることなく簡単かつ迅速に微調整することできる。特に、高精度パーツの圧造成形を行うときは、工具の劣化と稼働中に変化してゆく工具及び圧造品の温度上昇に伴う押出兼圧造ピン先端のダイへの挿入位置の変化に対して細かに微調整する必要があるが、その際金型装置の稼働を止めずに微調整が迅速容易に行えるので経済的効果は大きい。【００１１】  また、回転操作手段の操作部を介して回転操作手段を手動又は電動にて操作する一方、微調整が完了したとき、受圧位置調整体の動きをロックするロック手段を設けるようにすれば、微調整した位置に受圧位置調整体を確実にロックすることができるので好ましい。
【考案を実施するための最良の形態】
【００１２】  以下、本発明の実施の形態を図面に基づいて説明する。
図面は、本考案に係る金型装置を示すもので、金型装置１は、基本的には嵌合穴２ａをもつ機体２と、機体２の嵌合穴２ａの奥部に支持される支持部材３と、嵌合穴３ａに挿嵌保持されるダイケース５と、ダイケース５内の前部に固定されるダイ６と、ダイ６の成形孔６ａに対して進退動可能でダイ６の底部を成形する押出兼成形ピン７と、押出兼成形ピン７の後端に当接しかつダイケース５内に摺動可能に支持される受圧体８と、受圧体８の後部に設けられ、成形品Ｗを受圧体８と押出兼成形ピン７ピンを介してダイ６の外へ押し出すノックアウトピン９をもつノックアウト機構１０とを備えている。そして、パンチ１１の打ち込みにより成形素材をダイ６の成形孔６ａ内に圧入して所定形状の成形品Ｗを圧造成形し、成形後は、パンチ１１の後退に伴いないノックアウト機構１０のノックアウトピン９が前進し、ノックアウトピン９で受圧体８と押出兼成形ピン７を介して成形品Ｗをダイ６の外へ押し出すようになされている。【００１３】  なお、ノックアウト機構１０については既知であるので、その具体的な説明については省略する。また、成形品Ｗとは据え込み加工されただけの中間成形品や最終成形品であってもよいこと勿論である。また、機体１にダイケース５を直接固定する他、機体１にダイブロックを取付け、ダイブロックを介してダイケース５を挿嵌保持するようにしてもよい。【００１４】  そして、本考案は、ダイケース５内の後端部内面に進退可能に螺合され、かつ受圧体８の後端面を受け止める受圧面１２ａを有する受圧位置調整体１２を設けると共に、受圧位置調整体１２を回転させてダイケース５に対し進退動させることにより受圧体８を介し押出兼成形ピン７の先端のダイ６の成形孔６ａ内における挿入位置を微調整する回転操作手段１３を設け、かつ回転操作手段１３の操作部１４を機外に設けたのである。【００１５】  また、ダイケース５内の後端部内面に形成されるメネジ５ａ及び受圧位置調整体１２の外周に形成されるオネジ１２ｂ部分の径は、受圧体８の外径に比べて大径に形成している。回転操作手段１３は、ノックアウトピン９の前端側外周に回転及び移動可能に外嵌され、先端部が受圧位置調整体１２に固着される回転筒軸１５と、ノックアウトピン９の後端側外周に回転及び移動可能に外嵌されると共に先端部が回転筒軸１５の後端と一体的に係合しかつ外周が機体２に螺合する筒ネジ軸１６と、筒ネジ軸１６の後端に設けられ、機外に突出する操作レバー１４とを備えている。その場合、筒ネジ軸１６の後端を機体２の後方に突出させ、その突出部の先端に半径方向に延びる操作レバー１４を設けている。また、筒ネジ軸１６の後端部で機体２の後面近くに半径状方向に延びるロックネジ１７をもつ固定体１８を固着し、ロックネジ１７を機体２の後面に圧接することにより筒ネジ軸１６、つまり回転操作手段１３の回転をロックするようになされている。さらに、筒ネジ軸１６の後端における固定体１８と操作レバー１４間位置には、基本位置からの筒ネジ軸１６の回転量を知るための表示板１９が取付けられている。【００１６】  図２において符号２０はノックアウトピン９の後方への戻しばねであり、また、図１において符号２１はダイケース５内の後端部内面に���成されるメネジ３ｂ部分に形成された排出孔で、ノックアウトピン９及びメネジ３ｂに溜まるボンデ粉やフィンの汚物を外部に排出するためのものである。【００１７】  図に示す実施の形態では、操作レバー１４を用いて手動により筒ネジ軸１６を回転させるようにしたが、操作レバー１４に換えてサーボモーターとギア機構（図示せず）とにより電気的に行うようにしてもよい。【００１８】  以上のように構成される本考案金型装置の作用について説明する。
圧造中に圧造された成形品Ｗをチェックする。そして図３の実線で示すバリのない台形状を呈する場合には、押出兼成形ピン７の先端のダイ６の成形孔６ａ内への挿入位置が定位置Ａに位置して、良品の成形品Ｗを成形しているのでそのまま継続して圧造成形を行えば良い。一方、図３の仮想線で示すバリＢの発生した不良品を検出したときには、押出兼成形ピン７の先端のダイ６の成形孔６ａ内における挿入位置が定位置Ａから図３の仮想線で示す位置Ａ′に位置ずれが生じているものと考えられる。そこで、金型装置１の稼働を止めることなく、つまり成形素材の供給のみを止めて空打ち状態のもとで、まず、ロックネジ１７を緩めて機体２の後面との圧接を解除する。次に、回転操作手段１３の操作レバー１４を例えば時計方向に回転操作する。これにより筒ネジ軸１６及び回転筒軸１５を介して受圧位置調整体１２を回転させ、該調整体１２をダイケース５に対し後退移動させる。この調整体１２の後退移動により受圧体８を介する押出兼成形ピン７の先端のダイ６の成形孔６ａ内における挿入位置を定位置Ａに微調整することができる。その後はロックネジ１７を締付けて機体２の後面に圧接させ、筒ネジ軸１６の回転をロックする。【００１９】  一方、成形素材の圧造に入って初期圧縮歪みにより、ノックアウトピンが短縮した場合や、受圧位置調整体１２を回転させ、該調整体１２をダイケース５に対し後退移動させ過ぎた場合には、成形品Ｗの底部部分に突出段部（図示せず）が形成され、成形品Ｗを側面から見たとき台形状でなくなる。そのときには、機外から回転操作手段１３の操作レバー１４を反時計方向に回転操作して受圧位置調整体１２を回転させて、突出段部がなくなるように受圧位置調整体１２をダイケース５に対し前進移動させて、突出段部及びバリＢのない台形状を呈する成形品Ｗが得られるように微調整すればよい。【００２０】  以上のように、押出兼圧造ピン７のダイ６への適性な挿入位置の微調整が金型装置１の稼働を止めることなく、機外から回転操作手段１３の操作レバー１４を操作するだけで簡単かつ迅速に微調整することできる。【００２１】  特に、高精度パーツの圧造成形を行うときは、工具の劣化と稼働中に変化してゆく工具及び成形品Ｗの温度上昇に伴う押出兼圧造ピン７先端のダイ６への挿入位置の変化に対して細かに微調整する必要があるが、その際、金型装置１の稼働を止めずに微調整が迅速容易に行えるので経済的効果は大きい。
【図面の簡単な説明】
【００２２】
【図１】  本考案の金型装置の要部の拡大縦断側面図である。
【図２】  同金型装置の一部省略縦断側面図である。
【図３】  同押出兼成形ピンの調整具合の説明図である。
【図４】  従来例の説明図である。
【符号の説明】
【００２３】１          金型装置
２          機体
２ａ        嵌合穴
５          ダイケース
６          ダイ
６ａ        成形孔
８          受圧体
９          ノックアウトピン
１０        ノックアウト機構
１１        パンチ
１２        受圧位置調整体
１２ａ      受圧面
１３        回転操作手段
１４        操作部
１７        ロックネジ
１８        固定体
Ｗ          成形品
【図１】
0003128302.tif 000003
【図２】
0003128302.tif 000004
【図３】
0003128302.tif 000005
【図４】
0003128302.tif 000006